(57)【特許請求の範囲】
【請求項１】
パンティ部と、前記パンティ部から延びる一対のレッグ部と、前記レッグ部の下端に連続するフート部とを有し、前記パンティ部が身体に密着する弾性収縮力を有してパンティストッキングまたはタイツとして使用される外装体において、
前記パンティ部は後身頃と、前身頃と、前記後身頃および前記前身頃の上部に形成される胴回り開口部と、前記後身頃と前記前身頃との間に位置する股部とを有し、
前記股部には、液遮断機能を有する股生地が設けられて、体液吸収性物品の取付け部とされており、
前記後身頃の中央部を通って身丈方向に延びる少なくとも１つの弾性収縮力を有する後方吊り上げ部材と、前記股部で股幅方向へ所定の間隔を有し且つ前記股部から前記前身頃に向かう少なくとも２つの弾性収縮力を有する前方吊り上げ部材とが設けられていることを特徴とする外装体。
【請求項２】
前記前方吊り上げ部材は、前記股部から前記前身頃に向けて間隔が徐々に広がるように配置されている請求項１記載の外装体。
【請求項３】
前記後方吊り上げ部材と前記前方吊り上げ部材が別々の部材で構成されており、それぞれの吊り上げ部材の端末が前記後身頃の下方位置で集合している請求項１または２記載の外装体。
【請求項４】
前記後方吊り上げ部材と前記前方吊り上げ部材が、前記後身頃、前記股部、および前記前身頃にかけて連続する同一の部材により構成されている請求項１または２記載の外装体。
【請求項５】
前記後方吊り上げ部材から前記前方吊り上げ部材が分岐する分岐点が前記後身頃の下方位置に位置する請求項４に記載の外装体。
【請求項６】
前記パンティ部において、前記後方吊り上げ部材および前記前方吊り上げ部材が設けられている部分と、前記各吊り上げ部材と隣接し且つ前記吊り上げ部材が設けられていない部分とで弾性収縮力を比較したときに、前記各吊り上げ部材が設けられている部分の弾性収縮力の方が大きい請求項１ないし５のいずれかに記載の外装体。
【請求項７】
前記外装体の少なくとも一部に、他の領域よりも保温機能の高い領域が設けられている請求項１ないし６のいずれかに記載の外装体。
【請求項８】
前記保温機能が高い領域の少なくとも一部は、水和熱により発熱する多価金属塩が添加された架橋型アクリレート樹脂で形成されている請求項７記載の外装体。
【請求項９】
前記架橋型アクリレート樹脂は、温度が２０℃、相対湿度が６５％の環境下で、水分率２０％以上を有する請求項８記載の外装体。
【請求項１０】
前記股布は、布に透湿機能を有するフィルムをラミネートしたものである請求項１ないし９のいずれかに記載の外装体。
【請求項１１】
前記股生地の内側には前記体液吸収性物品を装着するための装着布を有しており、前記装着布は前端部および後端部が前記股生地に接合され、両側縁部が前記股生地に接合されていない請求項１ないし１０のいずれかに記載の外装体。
【請求項１２】
前記パンティ部と前記レッグ部および前記フート部は、弾性糸とナイロン糸を組み合わせた材料で構成されて全体が弾性伸縮性を有している請求項１ないし１１のいずれかに記載の外装体。
【発明の詳細な説明】
【０００１】
【発明の属する技術分野】
本発明は、身体に密着するパンティ部と、レッグ部およびフート部を有するパンティストッキングまたはタイツとして使用される外装体に係り、特に生理用ナプキンなどの体液吸収性物品の着用と同時に使用するのに適した外装体に関する。
【０００２】
【従来の技術】
生理用ナプキンなどの体液吸収性物品を装着する際、体液吸収性物品を身体の股間部に密着させた状態を維持するために、股部が防水機能を有し且つ体への締め付け力の大きい生理用ショーツを着用することが行われている。また、一般的には、前記生理用ショーツとともにパンティストッキングを着用し、さらに体型を整えるためにガードルを着用することもある。
【０００３】
しかし、前記生理用ショーツは、体液吸収性物品の股間部からの位置ずれを防止するために体への締め付け力が大きく、また防水機能を有するために通気性が劣るものとなっている。よって前記生理用ショーツを着用した状態で下腹部や臀部に対する圧迫感があり、また身体の自由な動きを阻害することになりかねない。また、前記生理用ナプキンとパンティストッキングおよびガードルを重ねて着用すると、さらに圧迫感が生じ、通気性を損なうようになる。
【０００４】
そこで、実開平３−１２８６０６号公報には、パンティストキングのパンティ部の素材の編み構造を工夫することによって、腹部と臀部に対するサポート力を持たせ、このサポート力により、体液吸収性物品を股間部へ保持できるようにしたものが開示されている。
【０００５】
【発明が解決しようとする課題】
しかし、前記公報に開示されたパンティストッキングは、パンティ部が身体の腹部と臀部に強く密着できるが、股部に装着した体液吸収性物品を身体の股間部へ押し付ける機能を重視したものではないため、股間部からの体液吸収性物品の位置ずれを確実に防止できないおそれがある。
【０００６】
また、パンティ部が腹部や臀部を強く締め付ける構造であるため、着用者が圧迫感を感じやすく、また圧迫による血行不良を生じる不安もある。
【０００７】
本発明は前記従来の課題を解決するものであり、パンティ部とレッグ部とフート部を有してパンティストッキングまたはタイツとして使用されるものにおいて、体液吸収性物品を股間部に密着させることができ、その結果、圧迫力の小さいショーツを内側に着用でき、またはショーツの着用も不要にできて身体の動きの自由度を高めることができる体液吸収性物品の着用に適した外装体を提供することを目的とする。
【０００８】
【課題を解決するための手段】
本発明は、パンティ部と、前記パンティ部から延びる一対のレッグ部と、前記レッグ部の下端に連続するフート部とを有し、前記パンティ部が身体に密着する弾性収縮力を有してパンティストッキングまたはタイツとして使用される外装体において、
前記パンティ部は後身頃と、前身頃と、前記後身頃および前記前身頃の上部に形成される胴回り開口部と、前記後身頃と前記前身頃との間に位置する股部とを有し、
前記股部には、液遮断機能を有する股生地が設けられて、体液吸収性物品の取付け部とされており、
前記後身頃の中央部を通って身丈方向に延びる少なくとも１つの弾性収縮力を有する後方吊り上げ部材と、前記股部で股幅方向へ所定の間隔を有し且つ前記股部から前記前身頃に向かう少なくとも２つの弾性収縮力を有する前方吊り上げ部材とが設けられていることを特徴とするものである。
【００１０】
本発明の外装体を着用すると、パンティ部に設けられた後方吊り上げ部材と前方吊り上げ部材によって股部に設置された体液吸収性物品が股間部に密着させられ、股間部に設置した体液吸収性物品の位置ずれを防止できる。よって締め付け力の過大なショーツを併用する必要がなく、またはショーツの着用を不要にでき、身体への圧迫感が少なくなり、また身体の自由度も増す。さらに通気性を確保できて蒸れ感を生じにくくなる。
【００１１】
また、前記前方吊り上げ部材は、前記股部から前記前身頃に向けて間隔が徐々に広がるように配置されているものが好ましい。
【００１２】
この前方吊り上げ部材を設けたものでは、股部において少なくとも２つの前方吊り上げ部材により体液吸収性物品が身体の股間部に押し付けられる。また前身頃では前方吊り上げ部材の間隔が徐々に広がっているため、身体の下腹部への加圧力が分散して圧迫感を生じにくくなる。また間隔が徐々に広がる前方吊り上げ部材が前身頃に位置していると下腹部での装着感が良好になる。
【００１３】
例えば、前記後方吊り上げ部材と前記前方吊り上げ部材が別々の部材で構成されており、それぞれの吊り上げ部材の端末が前記後身頃の下方位置で集合しているものであってもよいし、前記後方吊り上げ部材と前記前方吊り上げ部材が、前記後身頃、前記股部、および前記前身頃にかけて連続する同一の部材により構成されているものであってもよい。
【００１４】
このように後方吊り上げ部材と前方吊り上げ部材とが別体または同一の部材で形成されて、後身頃から股部を通り前身頃にかけて連続する吊り上げ力を発揮すると、体液吸収性物品を確実にサポートできる。
【００１５】
さらに、前記パンティ部において、前記後方吊り上げ部材および前記前方吊り上げ部材が設けられている部分と、前記各吊り上げ部材と隣接し且つ前記吊り上げ部材が設けられていない部分とで弾性収縮力を比較したときに、前記各吊り上げ部材が設けられている部分の弾性収縮力の方が大きいことが好ましい。
【００１６】
このように構成すると、パンティ部を身丈方向へ伸ばして着用したときに、パンティ部の伸長による加圧力よりも、前記吊り上げ部材と後方吊り上げ部材が伸長したことによる吊り上げ力が大きくなり、股部に装着される体液吸収性物品を確実にサポートできるようになる。
【００１７】
また、前記外装体の少なくとも一部に他の領域よりも保温機能が高い領域が設けられていることが好ましい。
【００１８】
例えばこの領域は、前記パンティ部や前記フート部の一部にパイル加工や起毛加工によって嵩高に構成された布が施された領域を有するものとして構成できる。
【００１９】
他の領域よりも保温機能が大きい領域を設けることによって、保温効果を高めて下腹部や腰、あるいは足の冷えを抑制して血行を良くし、生理中の下腹部痛や腰痛を和らげることができる。
【００２０】
また、前記領域の少なくとも一部は、水和熱により発熱する多価金属塩が添加された架橋型アクリレート樹脂で形成されたものであってもよい。この場合、前記架橋型アクリレート樹脂は、温度が２０℃、相対湿度が６５％の環境下で、水分率２０％以上を有するものである。
【００２１】
前記樹脂を設けると、身体から出る汗などの水分が吸収されたときに、これら多価金属のイオンの電荷により、Ｈ2Ｏが強く引き付けられるいわゆる水和が起り、多量のエネルギーが放出され熱が発せられて、保温効果を生じさせることができる。
【００２２】
また、前記股生地の内側には前記体液吸収性物品を装着するための装着布を有しており、前記装着布は前端部および後端部が前記股生地に接合され、両側縁部が前記股生地に接合されていないものとして構成することができる。
【００２３】
このように構成すると、前記装着布に体液吸収性物品を取り付けて着用することで、別のショーツの着用を不要にでき、重ね着による蒸れを防止できる。
【００２５】
【発明の実施の形態】
以下本発明の体液吸収性物品の着用に適する外装体の一例としてパンティストッキングについて説明する。
【００２６】
なお、前記「体液吸収性物品」とは、身体から排出される液等を吸収して包含する物品を意味し、例えば生理用ナプキン、パンティライナー、尿取りパッドなどが挙げられるが以下の実施の形態では生理用ナプキンを用いた場合について説明する。また、「パンティストッキング」とは、薄い生地で形成されて臀部および腹部に密着するパンティ部とレッグ部とフート部を有するストッキングを意味する。ただし、本発明の外装体は、厚手の生地によってパンティ部とレッグ部とフート部が形成されたタイツであってもよい。
【００２７】
図１は本発明の外装体の第１の実施の形態として生理ナプキンの着用に適したパンティストッキングを示した斜視図、図２（ａ）は前記パンティストッキングの正面図、図２（ｂ）は前記パンティストッキングの背面図、図３は前記パンティストッキングのパンティ部を平面に展開した状態でパンティ部の内面側から見たときの展開平面図である。
【００２８】
図１に示すように、この生理用パンティストッキング１は、着用者のウエストライン付近に装着されるウエストバンド部２と、前記ウエストラインよりも下側の胴部すなわち下腹部と腰部に密着するパンティ部３と、着用者の脚部を覆うレッグ部４と、前記レッグ部４の先部に連続して、着用者の足部を覆うフート部５を有している。
【００２９】
前記パンティ部３は身体の腹部に密着する前身頃３Ａと、身体の臀部に密着する後身頃３Ｂと、着用者の股部を覆うための股部３Ｃと、に大別される。前身頃３Ａと後身頃３Ｂは主に、２枚の腰当て生地１０Ａ，１０Ｂとから形成されている。
【００３０】
２枚の前記腰当て生地１０Ａ，１０Ｂは、前記前身頃３Ａの中心線１１および後身頃３Ｂの中心線１２の位置で互いに接合されている。図３は、前記腰当て生地１０Ａと腰当て生地１０Ｂをそれぞれの生地の中央部で身丈方向に沿って切断して展開した状態を示している。前記股部３Ｃには股生地１３が設けられ、股生地１３の前縁部１３ａと後縁部１３ｂが前記腰当て生地１０Ａと１０Ｂの下縁部に連結されている。前記腰当て生地１０Ａと腰当て生地１０Ｂの下縁、および前記股生地１３の両縁部で、脚開口部６，６が形成されている。
【００３１】
なお、前記のパンティ部３の構造は一例であって、生地の組み合わせおよび接合構造が前記と異なるものであってもよい。
【００３２】
前記ウエストバンド部２は、前記パンティ部３の胴回り開口部の開口縁３Ｄから所定幅（例えば、１〜４ｃｍ幅）の領域を意味している。着用時にパンティストッキング１がずれ落ちるのを防止する機能を付与するために、ウエストバンド部２は、ポリウレタン繊維で形成された伸縮織物、合成ゴムシート、天然ゴムシートなどからなるウエストバンドで形成されている。
【００３３】
前記レッグ部４とフート部５は、脚部生地１５，１５によって実質的に一体に形成されている。そして、前記脚部生地１５，１５により、前記レッグ部４とフート部５は連続してストッキング形状に形成されている。前記フート部５は、つま先部５Ａ，５Ａおよびかかと部５Ｂ，５Ｂを有する袋体である。
【００３４】
前記脚部生地１５，１５の端部を構成する糸と、前記腰当て生地１０Ａ，１０Ｂおよび前記股生地１３の端部を構成する糸は、前記脚開口部６，６において互いに編み込まれている。したがって、前記脚部生地１５，１５と、前記腰当て生地１０Ａ，１０Ｂおよび前記股生地１３は連続した布として形成されている。図１および図２（ａ）（ｂ）では、前記生地の編み込み境界を境界線１４として示している。ただし、前記脚開口部６，６において、前記脚部生地１５，１５の上縁部が、前記腰当て生地１０Ａ，１０Ｂ、および前記股生地１３に縫合されまたは接着されあるいは熱シールされて前記境界線１４が形成されていてもよい。
【００３５】
前記後身頃３Ｂには、後方吊り上げ部材２０が取り付けられている。前記後方吊り上げ部材２０の一方の端末２０ｂは、前記ウエストバンド部２の下縁２ａに位置している。前記後方吊り上げ部材２０は、前記端末２０ｂを始点として、前記後身頃の中心線１２に沿い、身丈方向に沿って股部３Ｃに向かっている。そして、後方吊り上げ部材２０の他方の端末２０ａは、前記後身頃３Ｂの下方（または股部３Ｃの後方部位であってもよい）に位置する集合部２３に位置している。この後方吊り上げ部材２０は、前記腰当て生地１０Ａと１０Ｂと共に前記中心線１２の部分で縫製などされて取り付けられている。
【００３６】
前身頃３Ａには、２つの前方吊り上げ部材２１，２２が取り付けられ、この前方吊り上げ部材２１，２２は、前記後方吊り上げ部材２０と別体のものとして構成されている。前記前方吊り上げ部材２１，２２の一方の端末２１ｂ，２２ｂは前記ウエストバンド部２の下縁２ａに位置しており、前記前方吊り上げ部材２１，２２の他方の端末２１ａ，２２ａは前記集合部２３に位置している。よって、前記集合部２３において、前記後方吊り上げ部材２０から、２つの前記前方吊り上げ部材２１，２２が実質的に分岐した配置構造となっている。
【００３７】
前記後方吊り上げ部材２０および前方吊り上げ部材２１，２２はともに弾性収縮力を有している。また、この実施の形態では、後方吊り上げ部材２０と前方吊り上げ部材２１，２２とが、後身頃３Ｂから股部３Ｃを通り前身頃３Ａに向けて実質的に連続して配置されている。したがって、この吊り上げ部材によって発揮される収縮力がパンティ部の後身頃から股部３Ｃを通り前身頃まで連続して作用することになり、体液吸収性物品を確実にサポートできる。
【００３８】
前記前方吊り上げ部材２１，２２は、前記集合部２３を起点として股部３Ｃから前身頃３Ａにかけて、間隔が徐々に広くなるように配置されている。そして、前記股部３Ｃにおいて、前後方向に二分する中心線Ｏ−Ｏにおいて、前記前方吊り上げ部材２１と２２が、股幅方向に間隔Ｌ２を開けて位置しており、また前記集合部２３は前記中心線Ｏ−Ｏよりも後方へＬ１だけ離れた位置にある。
【００３９】
前記股部３Ｃに位置する前方吊り上げ部材２１と２２は、股間部に設置された体液吸収性物品である生理用ナプキンを弾性的に押える機能を発揮するものであるが、通常生理用ナプキンの幅寸法は６０〜１００ｍｍ以下であるため、前記間隔Ｌ２は、生理用ナプキンの幅よりも短いことが好ましい。そのため、前記Ｌ２は１００ｍｍ以下であることが必要であり、好ましくは６０ｍｍ以下である。また、成人女性の股間部の股幅は２０〜４０ｍｍであるため、前記Ｌ２のさらに好ましい範囲は２０〜４０ｍｍである。
【００４０】
また、股部３Ｃの中心Ｏにおいて、前記前方吊り上げ部材２１と前方吊り上げ部材２２との間隔Ｌ２を前記２０〜４０ｍｍの範囲とするためには、前記集合部２３と前記中心線Ｏ−Ｏとの距離Ｌ１は、２０〜５０ｍｍの範囲であることが好ましい。
【００４１】
なお、前記前方吊り上げ部材２０の端末２０ａと、後方吊り上げ部材２１，２２の端末２１ａ，２２ａとは、必ずしも集合部２３で連続している必要はなく、前記端末２０ａと端末２１ａ，２２ａとが、後身頃３Ｂの下方位置、または股部３Ｃの後方位置において離れていてもよい。また前記後方吊り上げ部材２０の端末２０ｂと、前記前方吊り上げ部材２１，２２の端末２１ｂ，２２ｂがウエストバンド部２から離れた位置にあってもよい。
【００４２】
前記パンティストッキング１を構成する材料は、弾性糸とナイロン糸とを組み合せたものであり、パンティストッキング１が全体に弾性伸縮性を有している。前記パンティ部３の腰当て生地１０Ａと１０Ｂは、シングルカバードヤーンによって編まれた織布であり、前記シングルカバードヤーンは、ポリウレタン弾性糸であるスパンデックス（繊度４４ｄｔｅｘ）の回りに、ナイロン糸（２４本のフィラメントからなり、繊度が７７ｄｔｅｘ）が一重に巻き付けられたものである。
【００４３】
前記レッグ部４は、ダブルカバードヤーンによって編まれた織布であり、前記ダブルカバードヤーンは、スパンデックス（繊度２２ｄｔｅｘ）の回りに、ナイロン糸（５本のフィラメントからなり、繊度が１１ｄｔｅｘ）とナイロン糸（５本のフィラメントからなり、繊度が１６．５ｄｔｅｘ）の一方が下撚りに、他方が上撚りとなるように向きを変えて二重に巻き付けられたものである。
【００４４】
前記つま先部５Ａとかかと部５Ｂは、スパンデックス（繊度２２ｄｔｅｘ）の回りにナイロン糸（１７本のフィラメントからなり、繊度が５５ｄｔｅｘ）が巻き付けられて構成された糸でメッシュ編みにした織布が使用されて、レッグ部４およびフート部５の他の部分よりも補強されている。
【００４５】
ただし前記に説明した、パンティストッキング１、レッグ部４、つま先部５Ａおよびかかと部５Ｂを構成するそれぞれの材料はこれらに限定されるものではなく、他の好適な材料によって構成することもできる。
【００４６】
前記後方吊り上げ部材２０と前方吊り上げ部材２１，２２は、弾性収縮力を有していることが好ましい。弾性収縮力を有していることにより、生理用ナプキンのサポート力を発揮しやすくなる。前記後方吊り上げ部材２０と前方吊り上げ部材２１，２２には、例えばポリウレタン、天然ゴム、合成ゴムのいずれかで形成されたバンドが好ましく使用される。
【００４７】
ただし、前記後方吊り上げ部材２０と前方吊り上げ部材２１，２２が、弾性収縮力の少ない部材、あるいは弾性収縮力のない部材で構成されていてもよい。この場合、後方吊り上げ部材２０と前方吊り上げ部材２１，２２は、身体に着用したときの身丈寸法よりもわずかに短い長さ寸法としておく。パンティ部３を身体に装着してパンティ部が身丈方向に伸ばされたときに、前記後方吊り上げ部材２０と前方吊り上げ部材２１，２２が臀部および腹部および股間部に密着し、生理用ナプキンなどに対してサポート力を発揮できる。
【００４８】
前記後方吊り上げ部材２０と前方吊り上げ部材２１，２２は、パンティ部３の内面に縫合されていることが好ましい。内面に縫合されていると、外面に縫合した場合よりも生理用ナプキンに対してサポート力を強く与えることができる。また、前記パンティストッキング１の外面に着用した衣服の表面に前記各吊り上げ部材２０および２１，２２の形状が表れることを防止でき、着用時に美しい外観を得ることができる。ただし、本発明では、前記後方吊り上げ部材２０と前方吊り上げ部材２１，２２とが、パンティ部３の外面に縫合されていてもよい。
【００４９】
前記後方吊り上げ部材２０と前方吊り上げ部材２１，２２は、幅寸法が５〜２０ｍｍであることが好ましい。前記幅寸法が５ｍｍ未満であると、前記前方吊り上げ部材２１，２２の加圧力が股間部に局部的に作用して圧迫感を生じさせやすい。また股間部に対する前記前方吊り上げ部材２１，２２の位置が安定しにくくなり、生理用ナプキンへのサポート力の作用位置が安定しなくなるおそれがある。また前記前方吊り上げ部材２１，２２は、生理用ナプキンの中央部分を股間部に押し付けて生理用ナプキンの中央部を膣口に向くように凸状に変形させる機能を有することが好ましいが、前方吊り上げ部材２１，２２の幅寸法が２０ｍｍより大きいと、前記機能を発揮しにくくなる。
【００５０】
前記後方吊り上げ部材２０および前方吊り上げ部材２１，２２は、断面が偏平形状のバンドであるため、生理用ナプキンに対して安定したサポート力を与えることができる。ただし、前記各吊り上げ部材２０および２１，２２は、断面形状が円形であってもよいし、図４に示すように、前記各吊り上げ部材２０および２１，２２は、ジグザグ形状の千鳥縫いで形成されているものであってもよい。前記千鳥縫いの場合、前記ジグザグ形状の幅方向の頂点間の距離Ｗ１が５ｍｍ〜２０ｍｍであることが好ましい。
【００５１】
前記各吊り上げ部材２０および２１，２２が設けられている部分での、前記各吊り上げ部材が延びる方向での弾性収縮力は、前記各吊り上げ部材が設けられていない部分での腰当て生地１０Ａと１０Ｂの身丈方向の弾性収縮力よりも大きい。例えば、パンティ部３を身丈方向へ５０％の伸び率で伸ばしたとき、前記各吊り上げ部材２０および２１，２２が設けられている部分での、前記各吊り上げ部材が延びる方向の弾性収縮力Ｆ１，Ｆ２が、前記各吊り上げ部材が設けられていない部分での腰当て生地１０Ａと１０Ｂの身丈方向の弾性収縮力よりも大きくなる。
【００５２】
前記弾性収縮力は次のようにして測定する。前記腰当て生地１０Ａ，１０Ｂに吊り上げ部材を縫い付けたものを縦１５０ｍｍ×幅２５ｍｍの大きさに切断する。この測定試料の縦方向の両端部をテンシロン試験機のチャックに保持し、初期のチャック間距離を１００ｍｍとし、引張り速度１００ｍｍ／分で引張り試験を行い、前記測定試料が縦方向に１．５倍伸ばされたときの荷重を前記吊り上げ部材２０，２１，２２が設けられている部分の弾性収縮力Ｆ１，Ｆ２の測定値とする。また、前記腰当て生地１０Ａまたは１０Ｂを、身丈方向を縦方向として、前記と同じ大きさの試料を形成し、同様にテンシロン試験機で測定した値を、前記腰当て生地１０Ａ，１０Ｂの身丈方向の弾性収縮力とする。
【００５３】
前記パンティストッキング１を用いるときは、ショーツの股部３Ｃの内側に生理用ナプキンを装着して着用し、その上に前記パンティストッキング１を着用する。着用状態では、レッグ部４，４が若干の弾性収縮力を有して身体の脚部に密着する。またパンティ部３は、全体が幅方向および身丈方向へ伸ばされた状態で、身体の腹部および臀部に対して弾性収縮力を発揮して密着する。前記パンティ部４の密着力により、身体の腹部と臀部に対して比較的弱い圧迫力が作用し、体型を整える機能を発揮できる。
【００５４】
前記パンティ部４が伸ばされると、後身頃３Ｂでは、後方吊り上げ部材２０が臀部の溝に沿う弾性収縮力Ｆ１を発揮し、股部３Ｃおよび前身頃３Ａでは、２本の前方吊り上げ部材２１，２２が、身丈方向への弾性収縮力Ｆ２，Ｆ２を発揮する。前記弾性収縮力Ｆ１，Ｆ２が、股部３Ｃを吊り上げるように作用し、また股部３Ｃでは、２本の前方吊り上げ部材２１，２２が生理用ナプキンを２箇所で股間部に押し付けるように機能する。よって、生理用ナプキンは股間部から位置ずれしにくく、膣口に密着した状態を維持しやすくなる。
【００５５】
また、前記後方吊り上げ部材２０と前方吊り上げ部材２１，２２の幅寸法が５〜２０ｍｍの範囲内であると、着用者の下腹部や臀部周辺に過大な圧力を与えるのを防止できる。
【００５６】
前記のように構成されたパンティストッキング１を着用すると、パンティストッキング１が生理用ナプキンのサポート機能を発揮するため、内側に着用するショーツは、身体に対する圧迫力が比較的弱いものでよくなり、ショーツとパンティストッキング１を重ねて着用したときに、身体の動きの自由度を阻害しにくくなる。
【００５７】
また、前記パンティストッキング１の前記股部３Ｃは液遮断機能を有していることが好ましい。液遮断機能を有していると、生理用ナプキンで吸収保持されなかった経血がショーツから前記股部３Ｃに流れた場合でも、経血で衣服などを汚すおそれが少なくなる。例えば、前記股部３Ｃを形成する股生地１３を、ポリエステル繊維が編まれることによって構成される布に、透湿機能を有するフィルムをラミネートしたもので構成される。
【００５８】
また、前記パンティ部３の一部分や前記つま先部５Ａ，５Ａ、前記かかと部５Ｂ，５Ｂあるいは前記フート部５の足裏に当接する部分を、パイル加工や起毛加工によって嵩高に構成された布で形成し、またはパンティ部３を構成する生地に前記嵩高の布を重ねて設けてもよい。嵩高に構成された布は多くの空気層を保持することができるため、人体の体温によって温められた空気層を前記嵩高に構成された布に保持することが可能となる。したがって、嵩高に構成された布を設けることによって保温効果を高めて下腹部や腰、あるいは足の冷えを抑制して血行を良くし、生理中の下腹部痛や腰痛を和らげることができる。
【００５９】
また、前記パンティ部３の少なくとも一部分に、前記パンティ部３の他の部分を構成する素材、あるいはレッグ部４またはフート部５を構成する他の素材に比べて小さい消費熱量（ｋｃａｌ／ｍ2・ｈｒ）を有する素材を用い、保温機能を高めてもよい。例えば前記素材で形成された生地、または一部に前記素材を含む生地でパンティ部３の少なくとも一部を形成してもよい。または、前記素材で形成された生地、または一部に前記素材を含む生地を、前記腰当て生地１０Ａ，１０Ｂの内側などに縫合してもよい。この保温機能を有する素材は、例えば図３に示す破線２５，２５よりも下側の領域で、下腹部および臀部の下方を覆う領域に設けられる。
【００６０】
保温機能を有する前記素材を用いると、保温効果を高め、下腹部及び腰の冷えを抑制することができ、血行を良くすることが可能である。血行を良くすることで、特に生理中には、下腹部痛や腰痛を和らげることが可能になる。
【００６１】
消費熱量の小さい前記素材として、架橋型アクリレート繊維とアクリル繊維とが混紡された混紡糸を挙げることができる。前記のように、前記混紡糸で形成された生地または前記混紡糸と他の繊維で形成された生地でパンティ部３の少なくとも一部が形成され、または前記生地がパンティ部を構成する生地に重ねられて使用される。
【００６２】
前記混紡糸は、例えば前記架橋型アクリレート繊維が３０質量％、アクリル繊維が７０質量％で構成されており、混紡糸の繊度は１９２ｄｔｅｘである。
【００６３】
前記架橋型アクリレート繊維を形成する樹脂は、アクリロニトリル（ＣＨ2＝ＣＨ−ＣＮ）とモノマーとしてアクリル酸メチルとの共重合体を主体としている。前記モノマーの他の例としては、ハロゲン化ビニル、ハロゲン化ビニリデン、ｐ−スチレンスルホン酸等のスルホン酸含有モノマーやその塩、イタコン酸等のカルボン酸含有モノマーやその塩、アクリルアミド、スチレン、酢酸ビニル等を挙げることができる。また、前記混紡糸を形成するアクリル繊維を形成する樹脂は、アクリロニトリルの付加重合体である。
【００６４】
前記架橋型アクリレート繊維は、前記アクリレートに、ヒドラジン処理が施され、ニトリル基（−ＣＮ）が架橋結合して架橋型とされている。ヒドラジン（ＮＨ2−ＮＨ2）としては、水加ヒドラジン、硫酸ヒドラジン等を例示できる。
【００６５】
また、前記ニトリル基の一部がカルボキシル基（−ＣＯＯＨ）に、残部のニトリル基がアミド基（−ＣＯＮＨ2）に変換されたものであり、この変換処理は、アルカリ金属水酸化物、アンモニア等の塩基水溶液や強酸等の含受によって行える。そして架橋型アクリレート繊維は、ＰＨが４．０〜７．０に調整されて、前記カルボキシル基の一部が、Ｃａ，Ｍｇ，Ａｌ等の多価金属の硝酸塩、塩酸塩、硫酸塩より選ばれた１種または２種以上の塩を添加した金属塩とされる。
【００６６】
ＰＨを４．０〜７．０に調整するのは、カルボキシル基の一部を解離状態にして、繊維内部にまで金属塩への変換を均一に素早く行うためである。
【００６７】
前記架橋型アクリレート樹脂の架橋構造を簡単に示した化学構造を化１に示す。
【００６８】
【化１】
0004009088.tif 000002
【００６９】
化１は、アクリロニトリルと他のモノマーとの重合によって形成された主鎖４２，４３を有しており、これら主鎖どうしが、橋かけＡ及びＢによって架橋結合されている。橋かけＡは、ニトリル基がヒドラジン処理によって架橋結合された部分である。また橋かけＢは、カルボキシル基に変換された一部が、多価金属Ｍの硝酸塩等によって金属塩とされた部分である。
【００７０】
前記架橋型アクリレート樹脂は、多価金属Ｍを含有するため、大気中の水分や汗などの水分が前記アクリル繊維に吸収されると、前記水分は、多価金属イオンに強く引き寄せられ、いわゆる水和の現象が起る。この水和によりエネルギーが放出され、熱が発せられるため保温効果が高くなる。
【００７１】
また上記の架橋型アクリレート樹脂は、温度が２０℃、相対湿度が６５％の環境下で、２０％以上の水分率を得ることが可能である。この保湿性によっても肌に暖かみを感じやすくなる。
【００７２】
さらに、不快な刺激臭を有するガスが発生したときに、上記架橋型アクリレートのｐＨ調整による脱臭作用によって、前記ガスがショーツの外部に漏れ出すことを適切に抑制する機能を有しているため、生理時の気になる臭いの発生も低減することができる。
【００７３】
また、前記保温機能を有する素材を含む織布で、前記つま先部５Ａ，５Ａやかかと部５Ｂ，５Ｂを形成してもよい。
【００７４】
図５は、前記吊り上げ部材の他の配置例を示している。
図５に示す例では、前記腰当て生地１０Ａおよび腰当て生地１０Ｂに、身体の腰骨近傍に位置する腰周りバンド４０Ａ，４０Ｂが設けられている。前記腰周りバンド４０Ａと４０Ｂとは胴周り方向へ連続している。前記後方吊り上げ部材２０の他方の端末２０ｂは前記腰周りバンド４０Ａ，４０Ｂの位置にあり、前記前方吊り上げ部材２１，２２の前記他方の端末２１ｂ，２２ｂも前記腰周りバンド４０Ａ，４０Ｂに位置している。この例では、前記弾性収縮力Ｆ１およびＦ２が前記パンティ部３に形成された前記腰周りバンド４０Ａ，４０Ｂよりも下方部分のみに働くため、着用者に与える圧迫感を少なくすることができる。また前記腰周りバンド４０Ａ，４０Ｂが腰骨の位置付近に密着するため、前記弾性収縮力Ｆ１，Ｆ２が作用してもパンティ部３がずり下がることが生じにくい。
【００７５】
ここで、一般的に生理用ナプキンの縦方向の長さ寸法は１６０〜４００ｍｍの範囲内である。したがって、前記後方吊り上げ部材２０の他方の端末２０ｂから前記前方吊り上げ部材２１，２２の前記他方の端末２１ｂまたは２２ｂまでの、延べ長さ寸法は４００ｍｍより長いことが好ましい。前記長さ寸法を４００ｍｍよりも長く構成すると、夜用あるいは経血の排泄量が多い日の使用に適している、縦方向の長さ寸法が長い生理用ナプキンを着用したときでも、生理用ナプキンの縦方向を全長に渡って確実にサポートすることができる。
【００７６】
図６は吊り上げ部材の配置を示す他の実施の形態を示している。
図６に示す例では、前記後身頃３Ｂにおいて、前記後方吊り上げ部材２０の両側に、それぞれ１つずつ他の後方吊り上げ部材２６，２７が設けられている。この後方吊り上げ部材２６，２７の一方の端末２６ｂ，２７ｂは前記ウエストバンド部２の下縁２ａに位置しており、他方の端末２６ａ，２７ａは前記集合部２３に位置している。前記後方吊り上げ部材２０，２６，２７と前記前方吊り上げ部材２１，２２は、別々の弾性部材で形成されており、前記集合部２３において実質的に連続している。また、前記後方吊り上げ部材２６，２７はウエストバンド部２から前記集合部２３に向けて間隔が徐々に狭まるように配置されている。
【００７７】
図７は吊り上げ部材のさらに他の配置構造を示している。
図７に示すものは、前身頃３Ａにおいて、前記前方吊り上げ部材２１，２２と並ぶ他の前方吊り上げ部材２８，２９が設けられ、各前方吊り上げ部材２１，２２，２８，２９は、その間隔がウエストバンド部２に向けて徐々に広がるように配置されている。前記前方吊り上げ部材２１，２２，２８，２９の一方の端末２１ｂ，２２ｂ，２８ｂ，２９ｂは前記ウエストバンド部２の下縁２ａに位置しており、他方の端末２１ａ，２２ａ，２８ａ，２９ａは前記集合部２３に位置している。
【００７８】
前記後身頃３Ｂのほぼ中心部には、２つの後方吊り上げ部材３１，３２が短い間隔を開けて身丈方向に向けて平行に配置されている。前記後方吊り上げ部材３１，３２の一方の端末３１ｂ，３２ｂは前記ウエストバンド部２の下縁２ａに位置しており、他方の端末３１ａ，３２ａは前記集合部２３に位置している。
【００７９】
この例では、前記各前方吊り上げ部材２１，２２，２８，２９および各後方吊り上げ部材３１，３２が別々の部材であり、これらは前記集合部２３において実質的に連続している。
【００８０】
図６および図７に示したように、前記吊り上げ部材２０および２１，２２以外にさらに他の吊り上げ部材が設けられていると、吊り上げ部材が身体の腹部や臀部に当たる部分を分散でき、圧迫感をさらに解消できるようになる。
【００８１】
図８は本発明の第２の実施の形態のパンティストッキングのパンティ部の内部をパンティ部の内側から見た部分斜視図である。
【００８２】
このパンティストッキング１００は、股部１０３Ｃが二重構造となっており、股生地１１０と、股生地１１０の上に位置する装着布１２０とから構成されている。股生地１１０と装着布１２０は、股部１０３Ｃの前端部１０４と後端部１０５において、前記腰当て生地１０Ａ，１０Ｂに縫合されている。なお、前端部１０４と後端部１０５の間の部分では、前記股生地１１０と装着布１２０は接合されていない。
【００８３】
前記装着布１２０は、股生地１１０よりも縦寸法が大きく、また幅寸法が小さい。この縦寸法の差により、生理用ナプキン装着布１２０と股生地１１０との間には隙間１３０が形成されやすく、また横寸法の差により、前記隙間の間に生理用ナプキン１４０のウイング部１４０ａ，１４０ａを折り返して差し込みやすくなっている。
【００８４】
このパンティストッキング１００は、股部１０３Ｃに生理用ナプキン１４０を直接に取り付けることができるため、その下にショーツを着用することが必ずしも必要ではなく、重ね着によるムレなどの不快感を低減することができる。
【００８５】
さらに図８に示す実施の形態では、前方吊り上げ部材２１が前記集合部２３よりも後方に延びる後方延長部２１ｃを有し、同様に前方吊り上げ部材２２が前記集合部２３よりも後方に延びる後方延長部２２ｃを有している。そして前記後方延長部２１ｃと後方延長部２２ｃとが、後身頃において密着したままウエストバンド部２まで延びて、二本の後方延長部２１ｃと２２ｃとによって後方吊り上げ部材２０が形成されている。
【００８６】
なお、前記図１ないし図７に示す各実施の形態においても、前方吊り上げ部材のいずれかと、後方吊り上げ部材のいずれかが、一体の弾性部材で構成され、前記集合部２３よりも後方の部分が後方吊り上げ部材、前方の部分が前方吊り上げ部材とされていてもよい。
【００８７】
以上、本発明の実施の形態を生理用ナプキンをサポートすることができるパンティストッキングを例にとって説明したが、本発明はこれに限定されるものではなく、パンティライナー、尿取りパッドなどをサポートするためのパンティストッキングまたはタイツとしても実施できる。
【００８８】
【発明の効果】
以上のように本発明のパンティストッキングまたはタイツとして使用される外装体は、体液吸収性物品をサポートする吊り上げ力を発揮できる。したがって、内側に着用するショーツとして圧迫力の大きいものを使用する必要がなく、またはショーツを着用しなくてもよい。そのため、身体の動きに自由度を生じさせることができ、しかも生理用ナプキンなどの体液吸収性物品が位置ずれするのを防止できる。
【図面の簡単な説明】
【図１】本発明の外装体の実施の形態としてパンティストッキングを示す斜視図、
【図２】（ａ）は図１に示すパンティストッキングの正面図、（ｂ）はその背面図、
【図３】図１のパンティストッキングのパンティ部を展開して内側から見た展開平面図、
【図４】吊り上げ部材の変形例を示す平面図、
【図５】図１のパンティストッキングの吊り上げ部材の変形例を示す斜視図、
【図６】図３のパンティストッキングの吊り上げ部材の変形例を示す展開平面図、
【図７】図３のパンティストッキングの吊り上げ部材の他の変形例を示す展開平面図、
【図８】本発明の他の実施の形態のパンティストッキングのパンティ部の内側の構造を示す部分斜視図、
【符号の説明】
１  パンティストッキング
２  ウエストバンド部
３  パンティ部
３Ａ  前身頃
３Ｂ  後身頃
３Ｃ  股部
４  レッグ部
５  フート部
１０Ａ，１０Ｂ  腰当て生地
１３  股生地
１５  脚部生地
２０，２６，２７，３１，３２  後方吊り上げ部材
２１，２２，２８，２９  前方吊り上げ部材
２３  集合部
４０Ａ，４０Ｂ  腰周りバンド
１００  パンティストッキング
１０３Ｃ  股部
１１０  股生地
１２０  装着布
１４０  生理用ナプキン
１４０ａ  ウイング部
【図１】
0004009088.tif 000003
【図２】
0004009088.tif 000004
【図３】
0004009088.tif 000005
【図４】
0004009088.tif 000006
【図５】
0004009088.tif 000007
【図６】
0004009088.tif 000008
【図７】
0004009088.tif 000009
【図８】
0004009088.tif 000010